(57)【要約】【課題】従来の速結端子金具は、導電板からの板取がかならずしも経済的に行われておらず、材料ロスを生じており、改善の余地がある。【解決手段】この発明に係わる速結端子金具は、矩形状の基板部と、第１の端子部、第２の端子部と、第１の鎖錠片、第２の鎖錠片を有した鎖錠板と、第１の押圧片または第２の押圧片を有した１対の押圧板とを備える速結端子金具であって、押圧板を、第１の押圧片及び第２の押圧片、夫々に対応する切り起し線により切り起し、該両切り起し線の押圧片側が両者共、基板部の他の一対の辺のうち、鎖錠板を折り曲げ突出させた辺と反対側の辺側に接近するように、基板の長手方向に対して所定の角度で端子側に近づくように傾けたものである。【選択図】        図２
2004296328.tif 000002
【特許請求の範囲】
【請求項１】
ばね性及び導電性を有する平板を折り曲げて形成したものであって、矩形状の基板部と、
この基板部の対応する一対の辺から前記基板部の一面側に直角状に折り曲げて突出させた第１の端子部、第２の端子部と、
前記一対の辺とは異なる前記基板部の他の一対の辺のうちの一方から前記一面側に折り曲げて突出させ、かつ、互いに逆方向に斜め折りされるとともに先端が前記両端子部に個別に近接ないしは当接する弾性変形可能な一対の第１の鎖錠片、第２の鎖錠片を有する鎖錠板と、
前記基板部の前記他の一対の辺間の部分から前記一面側に切り起して突出させ、先端が前記両端子部に個別に近接ないし当接する弾性変形可能な第１の押圧片または第２の押圧片を有する一対の押圧板と、
を備えた速結端子金具において、
前記押圧板は、第１の押圧片及び第２の押圧片、夫々に対応する切り起し線により切り起され、また、この両切り起し線は、その前記押圧片側が両者共、前記基板部の前記他の一対の辺のうちの前記鎖錠板を折り曲げ突出させた辺と反対側の辺に接近するように、前記基板の長手方向に対して所定の角度傾けられたことを特徴とする速結端子金具。
【請求項２】
前記第１の押圧片及び第２の押圧片を、前記押圧板の夫々の折り曲げ線により前記夫々に対応する端子部に接近ないし当接するように折り曲げたことを特徴とする請求項１に記載の速結端子金具。
【請求項３】
前記第１の押圧片及び第２の押圧片を、前記押圧板の夫々の切り起し線の傾き方向と平行に傾けたことを特徴とする請求項１に記載の速結端子金具。
【請求項４】
前記第１の押圧片及び第２の押圧片の短手方向幅のうち、電線の押圧部を形成する押圧部幅を前記基板部側と反対側に延長させたことを特徴とする請求項１から請求項３のいずれかの請求項に記載の速結端子金具。
【請求項５】
前記第１の端子部及び前記第２の端子部の先端を前記折り曲げ方向に彎曲状に形成したことことを特徴とする請求項１から請求項４のいずれかの請求項に記載の速結端子金具。
【請求項６】
前記第１の端子部及び第２の端子部のうち一方を前記基板部から切り起こして形成し、前記基板部を前記切り起し形成した端子部側に延長し、前記基板部と同一平面よりなる第３の端子部を形成し、前記切り起して形成した端子部の面と直交する前記第３の端子部の一辺から第３の鎖錠板を直角状に折り曲げるとともに、傾斜先端が前記第３の端子部に近接ないしは当接する弾性変形可能な第３の鎖錠片を、前記第３の鎖錠板から前記第３の端子部に向けて斜めに切り起こして突出させたことを特徴とする請求項１から請求項５のいずれかの請求項に記載の速結端子金具。
【請求項７】
前記第１の端子部及び第２の端子部のうち一方を前記基板部から切り起こして形成し、前記基板部を前記切り起し形成した端子部側に延長し、前記基板部と同一平面よりなる第３の端子部を形成し、前記切り起して形成した端子部の面と平行する前記第３の端子部の一辺から第３の鎖錠板を直角状に折り曲げるとともに、傾斜先端が前記第３の端子部に近接ないしは当接する弾性変形可能な第３の鎖錠片を、前記第３の鎖錠板から前記第３の端子部に向けて斜めに切り起こして突出させたことを特徴とする請求項１から請求項５のいずれかの請求項に記載の速結端子金具。
【発明の詳細な説明】
【０００１】
【発明の属する技術分野】
本発明は、照明器具用の端子台等に備えられて、複数本の電線を夫々鎖錠して電気的かつ機械的接続を行う速結端子金具に関するものである。
【０００２】
【従来の技術】
従来の速結端子金具は、ばね性を有する導電性材料製平板を折曲げてなり、長方形の基板部６７と、第１、第２の電線受け板６８、６９と、第１鎖錠板７０と、第２鎖錠板７１とを具備する。電線受け板部６８、６９を基板部６７の長手方向両端から基板部６７の一面側に直角状に折曲げる。第１鎖錠板７０を基板部６７の長手方向に沿う一側縁から前記一面側に折曲げ、この板７０は斜め折りされてその傾斜先端が両電線受け板部６８、６９に個別に近接する弾性変形可能な一対の第２鎖錠片７１ａ、７１ｂを有する。（例えば、特許文献１参照。）。
【０００３】
【特許文献１】
特開平１０−２３３２４２号公報（第３頁〜第７頁、図１〜図６）
【０００４】
【発明が解決しようとする課題】
従来の特許文献１の速結端子金具は、第２鎖錠板７１の一対の第２鎖錠片７１ａ、７１ｂの板取に材料ロスを生じている。
【０００５】
本発明は上記のような課題を解決するためになされたものであり、導電板からの板取りを改善して、材料取りを向上し、材料ロスのない速結端子金具を得ることを目的とする。
【０００６】
【課題を解決するための手段】
本発明の速結端子金具は、ばね性及び導電性を有する平板を折り曲げて形成したものであって、矩形状の基板部と、この基板部の対応する一対の辺から基板部の一面側に直角状に折り曲げて突出させた第１の端子部、第２の端子部と、一対の辺とは異なる基板部の他の一対の辺のうちの一方から一面側に折り曲げて突出させ、かつ、互いに逆方向に斜め折りされるとともに先端が両端子部に個別に近接ないしは当接する弾性変形可能な一対の第１の鎖錠片、第２の鎖錠片を有する鎖錠板と、基板部の他の一対の辺間の部分から一面側に切り起して突出させ、先端が両端子部に個別に近接ないし当接する弾性変形可能な第１の押圧片または第２の押圧片を有する一対の押圧板とを備えた速結端子金具において、
押圧板は、第１の押圧片及び第２の押圧片、夫々に対応する切り起し線により切り起され、また、この両切り起し線は、その押圧片側が両者共、基板部の他の一対の辺のうちの鎖錠板を折り曲げ突出させた辺と反対側の辺に接近するように、基板の長手方向に対して所定の角度傾けられたものである。
【０００７】
【発明の実施の形態】
実施の形態１．
以下、図により本発明の実施の形態１の速結端子金具を説明する。
図１は、実施の形態１の速結端子金具を示す図であり、（ａ）がその断面図であり、（ｂ）は、押圧板を（ａ）のＡ側から見た図である。図２は、速結端子金具の構成を示す展開図であり、押圧板の板取りを比較説明するために、従来技術の押圧板の板取りも併せて記載している（点線、実線共に細い線で表している）。図３は、速結端子金具の端子部の湾曲状に形成した先端を上から見た図である。
【０００８】
これらの図において、速結端子金具１は、矩形状の基板部２の対応する一対の辺（図２の基板部２の両端の辺）から基板部２の一面側（図２では、紙面に対して手前側）に直角状に折り曲げて突出させた第１の端子部３、第２の端子部４と、この基板部２の一対の辺とは異なる基板部２の他の一対の辺（同じく上下の端部の辺）のうちの一方（図２では、上側の辺）から同じく一面側に折り曲げて（折り曲げ線７ｃ）突出させ、かつ、互いに逆方向に斜め折り（折り曲げ線７ａ、７ｂ）されるとともに先端が両端子部３、４に個別に近接ないしは当接する弾性変形可能な一対の第１の鎖錠片８、第２の鎖錠片９を有する鎖錠板７と、基板部２の他の一対の辺間の部分から同じく一面側に切り起して突出させ、先端が両端子部３、４に個別に近接ないし当接する弾性変形可能な第１の押圧片１５または第２の押圧片１６を有する一対の押圧板１１等から構成される。
また、速結端子金具１は、ばね性を有するリン青銅やクラッド材等の導電性材料からなる一枚の平板から打ち抜き、折り曲げ等により形成される。
【０００９】
図２により、基板部２から押圧板１１の板取りを説明する。
比較のために、細い実線及び点線で従来技術の押圧板の板取りも記載している。
従来は基板部２の上下辺に平行及び直角に押圧板の板取りをしていたが、本実施の形態では、夫々の端子部３、４に対応させて傾斜させて板取りを行う。即ち、図に示すように夫々の端子部３、４に対応させてほぼ矩形状の一対の板を基板部２の上辺（即ち、基板部２の長手方向）となす角度を鋭角である所定の角度θになるように傾斜させる。
図２には、本実施の形態の一例として従来の押圧片の矩形の対角線が一辺となる第１、第２の押圧片１５、１６を記載しているが、このようにした場合、基板部２の長手方向の同じ長さに対して、押圧片の長さは、従来の押圧片ではＬであるが、本実施の形態ではＬ／ｃｏｓθと長くすることができる。即ち、長手方向に材料の節約ができる。
基板部２の短手方向に関しては、従来の押圧板では切り起し後、押圧片を折り曲げ線で下方向に折り曲げ、押圧片の先端部と端子部とで電線の押圧部を形成するが、このために端子部は下方向に長くなる。そこで、この範囲内（基板部２の短手方向範囲内）に収まるように所定の角度θを選択すれば、基板部２の短手方向の材料使用量は変わらない。
なお、両者の比較は、図のＰ点を中心として回転するとわかり易い。
本実施の形態の一対の押圧板１１、１１は、テーパ部１７（ほぼ矩形状板の重なり部分を切欠いて形成）を中心に左右対称のほぼ矩形状の板からなり、このほぼ矩形状板を第１の押圧片３、第２の押圧片４の夫々に対応する夫々の切り起し線１１ａ、１１ｂにより基板部２の面に対して直角状に切り起こす。また、このほぼ矩形状板は、第１の押圧片３、第２の押圧片４の夫々の先端側を基板部２の下辺に接近させるように、基板部２の長手辺（図の上下の辺）に対して所定の角度θで傾斜させる。切り起し線１１ａ、１１ｂは、ほぼ矩形状板の傾斜辺の一部をなす。
傾斜角度θは、鋭角である任意の角度でよく、同様に長さの長い押圧片を得ることができる。
【００１０】
押圧板１１の第１、第２の押圧片１５、１６は、夫々の矩形形状板の途中に切り起し線１１ａ、又は１１ｂとほぼ直交する方向に折り曲げ線１１ｃ、１１ｄを設け、この折り曲げ線１１ｃ、１１ｄにより適宜折り曲げても良く、図１の場合は、上方に、即ち、切り起し線１１ａ、１１ｂの傾き方向と反対側に（言い換えば、端子部３、４に接近するように）折り曲げている。特に折り曲げずに、切り起し線１１ａ、１１ｂの傾き方向と平行とし、同じ傾きとしても良い。
上方に、即ち、切り起し線１１ａ、１１ｂの傾き方向と反対側に折り曲げることにより、第１、第２の端子部３、４により接近することができ、導電板２の節約となる。
また、切り起し線１１ｃ、１１ｄの傾きと同じ傾きとした場合は、折り曲げの工数の節減ができる。
【００１１】
図１（ａ）の速結端子金具１は、図で上方から挿入された電線２０を２本夫々接続するものであり、第１の鎖錠片８と第１の端子部３、第１の押圧片１５と第１の端子部３とでそれぞれ弾性的に挟持し、機械的に固定するとともに電気的に接続し、同じく、第２の鎖錠片９と第２の端子部４、第２の押圧片１６と第２の端子部４とでそれぞれ弾性的に挟持し、機械的に固定するとともに電気的に接続する。
【００１２】
速結端子金具１の押圧片１５、１６は、図１（ｂ）に示すように、第１の押圧片１５及び第２の押圧片１６の短手方向幅２２のうち、電線２０の押圧部を形成する押圧部幅２３を基板部２側と反対側に延長させることにより、即ち、短手方向幅２２より押圧部幅２３を突出側に伸ばして大きくすることにより、電線２０を確実に押圧できる。
【００１３】
図３に示すように、速結端子金具１の第１、第２の端子部１５、１６の先端を折り曲げ方向に、即ち、電線２０を挟持する側に彎曲させ電線２０をこの彎曲形状で抱えるようにして接触面積が増え、電気的接続をより確実とすることができる。
また、速結端子金具１の第１、第２の押圧片１５、１６と第１、第２端子部３、４の電線２０の挟持部に、即ち、両者のうち少なくとも一方の表面に小突起を設けてもよい。小突起により電線２０との接触部が集中され、電気的接続が確実となる。
実施の形態２．
【００１４】
実施の形態２の速結端子金具１は、実施の形態１の速結端子金具１において、第１、第２の端子部３、４のうち、一方を基板部２から切り起し形成し、電線２０挟持部を増し、より多くの電線２０を接続するようにしたものである。その他の構成は実施の形態１と同様である。
図４は、実施の形態２の速結端子金具を示す斜視図であり、図５は、別の速結端子金具を示す斜視図である。
【００１５】
図４において、本速結端子金具１は、第１の端子部３及び第２の端子部４のうち一方を基板部２から切り起こして形成する（図の例では、第２の端子部４が該当する）。基板部２を切り起し形成した第２の端子部４側に延長し、基板部２と同一平面よりなる第３の端子部１８を形成する。
第２の端子部４の面と直交する第３の端子部の一辺（この例では上辺としているが、下辺でも良い）から第３の鎖錠板１９を直角状に折り曲げる。この第３の端子部に傾斜先端が近接ないしは当接する弾性変形可能な第３の鎖錠片１９ａ、１９ｂを第３の鎖錠板１９から第３の端子部１８に向けて斜めに切り起こして突出させ形成する。
【００１６】
この速結端子金具１は、実施の形態１に記載の速結端子金具１に加えて、上方から挿入した２本の電線２０を接続でき、接続電線数が増加する。
【００１７】
また、図５に示す速結端子金具１は、図４に示す速結端子金具１の第３の鎖錠板１９を切り起して形成した第２の端子部４の面と平行する第３の端子部の一辺から、即ち、図の左端から第３の鎖錠板１９を直角に折り曲げたものである。他は図４と同様である。また、接続電線数が増加することも同様である。電線２０の挿入方向（接続方向）は上方向から左方向に変わる。
【００１８】
図６、図７の速結端子金具１は、押圧板１１の形状が若干相違する例を示したものである。基本的な構造及び作用効果は前記のものと同様である。
【００１９】
実施の形態１、２、３に記載の速結端子金具１は、主として照明器具に使用される端子台等に装備されるものである。
【００２０】
【発明の効果】
以上のように、本発明の速結端子金具は、ばね性及び導電性を有する平板を折り曲げて形成したものであって、矩形状の基板部と、この基板部の対応する一対の辺から基板部の一面側に直角状に折り曲げて突出させた第１の端子部、第２の端子部と、一対の辺とは異なる基板部の他の一対の辺のうちの一方から一面側に折り曲げて突出させ、かつ、互いに逆方向に斜め折りされるとともに先端が両端子部に個別に近接ないしは当接する弾性変形可能な一対の第１の鎖錠片、第２の鎖錠片を有する鎖錠板と、基板部の他の一対の辺間の部分から一面側に切り起して突出させ、先端が両端子部に個別に近接ないし当接する弾性変形可能な第１の押圧片または第２の押圧片を有する押圧板とを備えた速結端子金具において、
押圧板は、第１の押圧片及び第２の押圧片、夫々に対応する切り起し線により切り起され、また、この両切り起し線は、その押圧片側が両者共、基板部の他の一対の辺のうちの鎖錠板を折り曲げ突出させた辺と反対側の辺に接近するように、基板の長手方向に対して所定の角度傾けられたものであるので、導電板からの板取りを改善して、材料取りを向上した速結端子金具を得ることができる。
【図面の簡単な説明】
【図１】本発明の実施の形態１の速結端子金具を示す図である。
【図２】本発明の実施の形態１の速結端子金具の構成を示す展開図である。
【図３】本発明の実施の形態１の速結端子金具の端子部の湾曲状に形成した先端を上から見た図である。
【図４】本発明の実施の形態２の速結端子金具を示す斜視図である。
【図５】本発明の実施の形態２の別の速結端子金具を示す斜視図である。
【図６】本発明の実施の形態２のさらに別の速結端子金具を示す要部断面図である。
【図７】本発明の実施の形態２のさらに別の速結端子金具を示す要部断面図である。
【符号の説明】
１  速結端子金具、２  基板部、３  第１の端子部、４  第２の端子部、７  鎖錠板、８  第１の鎖錠片、９  第２の鎖錠片、１１  押圧板、１５  第１の押圧片、１６  第２の押圧片、１１ａ、１１ｂ  切り起し線、１１ｃ、１１ｄ  折り曲げ線、１８  第３の端子部、１９  第３の鎖錠板、１９ａ、１９ｂ  第３の鎖錠片。
【図１】
2004296328.tif 000003
【図２】
2004296328.tif 000004
【図３】
2004296328.tif 000005
【図４】
2004296328.tif 000006
【図５】
2004296328.tif 000007
【図６】
2004296328.tif 000008
【図７】
2004296328.tif 000009